(57)【要約】      （修正有）【課題】ヘアアイロンにおいて、成形板の側面に形成されたガイドレールとブラシの側面に形成されたガイドホームを利用して、新しいブラシを簡単に交替できるヘアアイロンを提供する。【解決手段】熱ロテイティングシリンダー１３０を正方向または逆方向に回転させながら、ヘアアイロン作業を行う。またブラシ１７０はヘアをきちんと押さえる役割をして、ホーム１３０ａはヘアが寄り固まることを防止する役割をする。また弾性敷突起は取っ手兼用本体１１０とアーム１４０が弾力的に折れるようにアームに設けられるが、弾性敷突起の下部にサブＰＣＢ回路基板のタクトスイッチが位置されて、弾性敷突起が下方に押さえられて、上記タクトスイッチを加圧する場合にヒーターが自動駆動するようにする。またブラシはブラシ着脱手段によって、成形板１６０に着脱出来るように設け、ブラシの側面に形成されるガイドホームの中にガイドレールを挿入し他のブラシと交換する。【選択図】図１
0003170856.tif 000002
【実用新案登録請求の範囲】
【請求項１】
内部に装着空間部が形成されて、上記装着空間部の中にＰＣＢ回路基板と駆動モーターが内蔵されて、一つの側に正逆スイッチとオンオフスイッチが設けられる取っ手兼用本体；上記取っ手兼用本体の装着空間部の中に設けられて、上記駆動モーターと連結される減速ユニット；上記減速ユニットに回転軸が連結されて、円筒形の熱筒内部にヒーターが内蔵される熱ロテイティングシリンダー；上記取っ手兼用本体の他側に回転出来るようにヒンジ結合して、一つ側に上記取っ手兼用本体と接触する間隔維持突起が形成されるアーム；
上記取っ手兼用本体と上記アームが弾力的に着脱出来るように上記アームが設けられる弾性敷突起；上記アームの終端部に結合されて、上記回転シリンダーと対向位置されて、内部にヒーターが内蔵される成形板；
上記成形板に着脱出来るように設けられるブラシ；
上記成形板に上記ブラシを着脱出来るように結合するブラシ着脱手段；および
上記ヒーターの温度を示すために上記取っ手兼用本体に設けられるＬＥＤ温度インディケーター；を含むヘアアイロン
【請求項２】
第１項において，
上記熱ロテイティングシリンダーの外注面にはその外注面に沿ってヘア寄り固まり防止のために多数のヘア寄り固まり防止ホームが形成されるのを特徴にするヘアアイロン
【請求項３】
第１項または第２項において、
上記減速ユニットは、
センターに軸挿入ホールが形成される３階構造の円型板；
上記円型板に回転出来るように設けられる３個の油性ギア；
上記円型板が挿入されて、内周面に上記遊星ギアと歯合されるスピンが形成される円筒；で構成されるヘアアイロン
【請求項４】
第１項または第２項において、
上記ブラシ着脱手段は上記ブラシの側面に形成されるガイドホーム、上記ガイドホームと相応して、上記成形板の側面に形成されたガイドレール、上記ブラシを位置固定する固定弁を具備するヘアアイロン
【請求項５】
第１項において、
上記熱ロテイティングシリンダーはアウター熱筒と、上記アウター熱筒と一定のギャップをおいて上記アウター熱筒の内部に設けられるインナー熱筒を具備するものの、上記ヒーターは上記インナー熱筒の外注面に固定されて、上記アウター熱筒と上記インナー熱筒の間に微細空気層が形成されて、上記アウター熱筒が均一に加熱されるのを特徴にするヘアアイロン
【請求項６】
第１項において、
上記熱ロテイティングシリンダーの外部にはカバーが着脱出来るように結合するのを特徴にするヘアアイロン。
【考案の詳細な説明】
【技術分野】
【０００１】本発明はヘアアイロンに関することで、もう少し詳細には、成形板の側面に形成されたガイドレールとブラシの側面に形成されたガイドホームを利用して、新しいブラシを簡単に交替できるヘアアイロンに関することである。
【背景技術】
【０００２】一般的に、ヘアスタイル（Ｈａｉｒ  Ｓｔｙｌｅ）は美容において重要な部分で、時と場所によって適切な変化を追求して、美的感覚を発揮する手段で活用されることにより、ヘアスタイルを色々と演出するための努力がされている。
これのための美容道具の中の一つがヘアアイロン（Ｈａｉｒ  Ｉｒｏｎ）で、ヘアアイロンは高温の熱を発生させて、ヘアスタイルを美しく演出するのに使われる。
しかし、従来のヘアアイロンは使用直後、発熱板が加熱された状態が維持され、使用者の身に火傷の危険があったり、携帯時や保管時には、冷めるまで長時間待たなければならないという問題点がある。
またヘアスタイリング作業時、ヘアが片側に寄って固まってしまう現象が発生して、ヘアのスタイリング作業が難しく、その上ヘアがしばしばからまってしまうという問題点がある。
【考案の概要】
【考案が解決しようとする課題】
【０００３】本発明は前述した問題点を解決するためにブラシでヘアを押さえ、ホーム（９本の溝）でヘアが片側に寄って固まってしまうことを防止し、成形板の側面に新しくて多様な形態の他のブラシを着脱出来るヘアアイロンを提供することにその目的がある。
【課題を解決するための手段】
【０００４】前述した目的を達成するために、本発明によるヘアアイロンは内部に装着空間が形成されて、上記装着空間部の中にＰＣＢ回路基板と駆動モーターが内蔵されて、一つの側に正逆スイッチとオンオフスイッチが設けられる取っ手兼用本体；上記取っ手兼用本体の装着空間部の中に設置されて、上記駆動モーターと連結される減速ユニット；上記減速ユニットに回転軸が連結され、円筒形の熱筒内部にヒーターが内蔵されるロテイティングシリンダー；上記取っ手兼用本体の他側に回転出来るヒンジ結合され、一つの側に上記取っ手兼用本体と接触する間隔維持突起が形成されるアーム；上記取っ手兼用本体と上記のアームが弾力的に折れるように上記アームの設置される弾性敷突起；上記アームの終端部に結合されて、上記回転シリンダーと対向位置されて、内部にヒーターが内蔵される成形板；上記成形板に着脱出来るように設置されるブラシ；上記成形板に上記のブラシを着脱出来るように結合するブラシ着脱手段；および上記ヒーターの温度を示す上記の熱ロテイティングシリンダーの外周面にはその外周面に沿ってヘアが寄って固まってしまうことを防止するために多数のホームが形成される。
型板に回転出来るように設けられる３個の遊星ギア；および上記の円型板が挿入されて、内周面に上記の遊星ギアと歯合される円筒；で構成される。
上記のブラシ着脱手段は上記のブラシの側面に形成されるガイドホーム、上記ガイドホームと相応して、上記成形板の側面に形成されたガイドレール、上記のブラシを位置固定する固定片を具備する。
一方、上記の熱ロテイティングシリンダーは熱筒と、上記の熱筒と一定のギャップをおいて上記の熱筒の内部に設けられるヒーターを具備するものの、上記の熱筒と上記のヒーターの間に微細空気層が形成されて、上記の熱筒が均一に加熱することが出来る。
【考案の効果】
【０００５】以上で説明した通り、本発明によると熱ロテイティングシリンダーを正方向または逆方向に回転させながら、ヘアアイロン作業を非常に簡単に行うことができる。またブラシはヘアをきちんと押さえる役割をして、ホームはヘアが寄り固まることを防止する役割をする。
また弾性敷突起は取っ手兼用本体とアームが弾力的に折れるようにアームに設けられるが、弾性敷突起の下部にサブＰＣＢ回路基板のタクトスイッチが位置されて、弾性敷突起が下方に押さえられて、上記タクトスイッチを加圧する場合にヒーターが自動駆動するようにする。
またブラシはブラシ着脱手段によって、成形板に着脱出来るように設けられるので、ブラシの側面に形成されるガイドホームの中にガイドレールが挿入されるようにして新しい他のブラシに簡単に取替ができる。
【図面の簡単な説明】
【０００６】
【図１】  図１は本発明によるヘアアイロンを、取っ手兼用本体と下アームが開けられた状態で見せた斜視図である。
【図２】  図２は図１の正面図である。
【図３】  図３は本発明によるヘアアイロンを、取っ手兼用本体と下アーム閉められた（折られた）状態で見せた斜視図である。
【図４】  図４は図３の正面図である。
【図５】  図５は図３の平面図でる。
【図６】  図６は本発明の減速ユニットを見せた平面図である。
【図７】  図７は図３のＩ−Ｉ線断面図である。
【図８】  図８は熱ロテイティングシリンダーの変形例を見せた断面図である。
【図９】  図９は本発明のブラシ着脱手段を見せた斜視図でる。
【図１０】  図１０は本発明の円筒形のカバーを見せた斜視図である。
【考案を実施するための形態】
【０００７】図１乃至図７を参照すれば、本発明によるヘアアイロン（１００）は内部に装着空間部（１１１）が形成されて、上記装着空間部（１１１）の中にＰＣＢ回路基板（１１３）と駆動モーター（１１５）が内蔵されて、一つの側に正逆スイッチ（１１７）とオンオフスイッチ（１１９）が設置される取っ手兼用本体（１１０）；上記取っ手兼用本体（１１０）の装着空間部（１１１）の中に設置されて、上記駆動モーター（１１５）と連結する減速ユニット（１２０）；上記減速ユニット（１２０）には回転軸（１３１）が連結されて、円筒形の熱筒（１３３）内部にはヒーター（１３５）が内蔵されるロテイティングシリンダー（１３０）；上記取っ手兼用本体（１１０）の他側に回転出来るようにヒンジ（Ｈ）が結びついて、一つの側に上記取っ手兼用本体（１１０）と接触する間隔維持突起（１４１）が形成されるアーム（１４０）；上記取っ手兼用本体（１１０）と上記アーム（１４０）が弾力的に折れるように上記アーム（１４０）に設置される弾性敷突起（１５０）；上記アーム（１４０）の終端部に結合されて、上記のロテイティングシリンダー（１３０）と対向位置されて、内部にヒーター（１６１）が内蔵される成形板（１６０）；上記の成形板（１６０）に着脱出来るように設けられたブラシ（１７０）；上記の成形板（１６０）に上記のブラシ（１７０）を着脱出来るように結合するブラシ着脱手段（１８０）；および上記のヒーター（１３５）（１６１）の温度を示す上記取っ手兼用本体（１１０）に設けられるＬＥＤ温度インディゲーター（１９０）；を具備する。
本発明によるヘアアイロン（１００）の構成をもう少し詳細に説明すれば、上記取っ手兼用本体（１１０）は本体役割をしながら、取っ手にも使用できる形状で形成され、その内部に装着空間部（１１１）が形成されて、片方に開口部（１１１ａ）が形成される。
上記装着空間部（１１１）の中にはＰＣＢ回路基板（１１３）と駆動モーター（１１５）が固定され設けられる。
上記取っ手兼用本体（１１０）の対面後方には正逆スイッチ（１１７）とオンオフスイッチ（１１９）が設けられる。
上記正逆スイッチ（１１７）によって、駆動モーター（１１５）が正逆方向に回転して、これに伴いロテイティングシリンダー（１３０）も正逆方向に回転するように構成される。
上記減速ユニット（１２０：図２および図９参照）は、上記駆動モーター（１１５：図２参照）に連結され、上記駆動モーター（１１５）の回転を減速する装置で、センターに軸挿入ホール（１２１ａ）が形成される３階構造の円型板（１２１）；上記円型板１２１に回転出来るように設けられる３個の遊星ギア（１２２）；
上記遊星ギア（１２２）の間に位置する太陽歯車（１２３）；上記円型板（１２１）が挿入されて、内周面に上記遊星ギア（１２２）と歯合されるスピンが形成される円筒（１２４）；で構成される。
上記のロテイティングシリンダー（１３０）は上記減速ユニット（１２０）に連結される回転軸（１３１）と円筒形の熱筒（１３３）で構成されるが、上記熱筒（１３３）の内部にはヒーター（１３５）が装着される。
上記熱筒ロテイティングシリンダー（１３０）の外周面にはその外周面に沿ってヘアの寄り固まり防止のために多数のホーム（１３０ａ）が形成される。
上記熱ロテイティングシリンダー（１３０）のヒーター（１３５）は上記熱筒（１３３）の内部に密着させることもできるが（図７参照）、熱ロテイティングシリンダー（１３０’）のヒーター（１３５）は熱筒（１３３）と一定間隔（ギャップ）（ｔ）を維持することもできる（図８参照）．
このような構造において上記熱ロテイティングシリンダー（１３０’）は熱筒（１３３）と、上記）熱筒（１３３）と一定ギャップ（ｔ）を置いて上記熱筒（１３３）内部に設置されるヒーター（１３５）を具備し、上記ヒーター（１３５）は上記熱筒（１３３）の外周面に固定されて、上記熱筒（１３３）と上記ヒーター（１３５）との間に隙間（ｔ）に微細空気層が形成されて、上記熱筒（１３３）が均一に加熱できる。
また上記アーム（１４０）は上記取っ手兼用本体（１１０）の他側に回転出来るようにヒンジ（Ｈ）が結びついて、一つ側に上記取っ手兼用本体（１１０）と接触する間隔維持突起（１４１）が形成される。
上記弾性敷突起（１５０）は上記取っ手兼用本体（１１０）と上記アーム（１４０）が弾力的に折れるように上記アーム（１４０）に設けられ、その弾性敷突起（１５０）にはスプリングが設置されている。
上記弾性敷突起（１５０）の下部にはサブＰＣＢ回路基板（１１３’）のタクトスイッチ（未図示）が位置されて、上記弾性敷突起（１５０）が下方に押さえられて、上記タクトスイッチを加圧する場合にヒーター（１３５）（１６１）が駆動されるように構成されることもできる（図４参照）．
上記成形板（１６０）は上記アーム（１４０）の終端部に結合されて、上記ロテイティングシリンダー（１３０）と対向位置されて、内部にヒーター（１６１）が内蔵される。
上記ブラシ（１７０）はブラシ着脱手段（１８０）によって、上記成形板（１６０）に着脱出来るように設けられる。
図８を参照すれば、上記ブラシ着脱手段（１８０）は上記ブラシ（１７０）の側面に形成されるガイドホーム（１８１）、上記ガイドホーム（１８１）と相応して、上記成形板（１６０）の側面に形成されたガイドレール（１８３）、および上記ブラシ（１７０）を位置ボルト（Ｂ）固定する固定弁（１８５）を具備する。
上記ＬＥＤ温度インディケーター（１９０）は上記ヒーター（１３５）（１６１）の温度を使用者に示すために上記取っ手兼用本体（１１０）に設けられる。
図１０を参照すれば、熱ロテイティングシリンダー（１３０）の外部に円筒形カバー（Ｃ）が着脱出来るように結合することもできる。
熱ロテイティングシリンダー（１３０）の外部に円筒形カバー（Ｃ）をかぶせておけば、熱ロテイティングシリンダー（１３０）表面にホコリや異質物がつかなくて使用直後の火傷も効果的に防止できる。
これと共に構成された本発明にともなうヘアアイロン（１００）の作動を説明すれば次のようになる。
オンオフスイッチ（１１９）を押して、ヘアアイロン（１００）をオンさせる。
ヒーター（１３５）（１６１）を加熱し、駆動モーター（１１５）を駆動し、熱ロテイティングシリンダー（１３０）を回転させる。
正逆回転スイッチ（１１７）を稼動し、熱ロテイティングシリンダー（１３０）を正方向または逆方向に回転させながら、ヘアアイロン作業をする。
ここでブラシ（１７０）はヘアをきちんと押さえる役割をして、上記のヘア寄り固まり防止ホーム（１３０ａ）はヘアの寄り固まりを防止する役割をする。
上記弾性敷突起（１５０）は上記取っ手兼用本体（１１０）と上記アーム（１４０）が弾力的に折れるように上記アーム（１４０）に設けられ、上記の弾性敷突起（１５０）の下部にサブＰＣＢ回路基板（１１３’）のタクトスイッチ（未図示）が位置されて、上記弾性敷突起（１５０）が下方に押さえられて、上記タクトスイッチを加圧する場合にヒーター（１３５）（１６１）が駆動するようにする（図４参照）．
また上記ブラシ（１７０）はブラシ着脱手段（１８０）によって、上記成形板（１６０）に着脱出来るように設けられる。
すなわち、上記ブラシ着脱手段（１８０）は上記ブラシ（１７０）の側面に形成されるガイドホーム（１８１）の中に、上記成形板（１６０）の側面に形成されたガイドレール（１８３）が挿入されるようにして新しいブラシを簡単に取替できる。
このように本発明の権利は上記に説明された実施例に限定されなく、請求範囲に記載されたことにより定義されて、本発明の技術分野で通常の知識を持った者が請求範囲内で記載された権利範囲内で多様な変形ができるということは自明である。
【符号の説明】
【０００８】１００：ヘアアイロン
１１０：取っ手兼用本体
１１１：装着空間部
１１１ａ：開口部
１１３：ＰＣＢ回路基板
１１３’：サブ回路基板
１１５：駆動モーター
１１７：正逆スイッチ
１１９：オンオフスイッチ
１２０：減速ユニット
１２１：円型板
１２１ａ：軸挿入ホール
１２２：遊星ギア
１２３：太陽歯車（Ｓｕｎ  Ｇｅａｒ）
１２４：円筒
１３０：熱ロテイティングシリンダー
１３０ａ：ヘア寄り固まり防止ホーム
１３１：回転軸
１３３：熱筒
１３１：回転軸
１３５：ヒーター
１４０：アーム
１４１：間隔維持突起
１５０：弾性敷突起
１６０：成形板
１６１：ヒーター
１７０：ブラシ
１８０：ブラシ着脱手段
１９０：ＬＥＤ温度インディケーター
１８０：ブラシ着脱手段
１８１：ガイドホーム
１８３：ガイドレール
１８５：固定便
Ｂ：ボルト
Ｃ：円筒形カバー
Ｈ：ヒンジ
ｔ：間隔（ギャップ）
【図１】
0003170856.tif 000003
【図２】
0003170856.tif 000004
【図３】
0003170856.tif 000005
【図４】
0003170856.tif 000006
【図５】
0003170856.tif 000007
【図６】
0003170856.tif 000008
【図７】
0003170856.tif 000009
【図８】
0003170856.tif 000010
【図９】
0003170856.tif 000011
【図１０】
0003170856.tif 000012